(57)【要約】 【課題】  照射光を、より近くの被写体にも照射することができる撮影装置および携帯電話装置を提供する。【解決手段】  カメラモジュール２の受光部７および発光装置３の発光部２１は、略同一側に臨むように設けられる。発光部２１は、受光部７の光軸Ｌ１に近づく方向Ｄ１およびこの方向Ｄ１とは逆方向Ｄ２に、第２角変位軸線Ｌ２まわりに角変位可能に設けられる。照射方向調整手段４は、受光部７と被写体との間の距離が小さくなるにつれて、前記受光部７の光軸Ｌ１に近づく方向Ｄ１に発光部２１を角変位させ、これによって照射光の照射方向を、前記受光部７の光軸Ｌ１に近づく方向Ｄ１に変化させる。また照射方向調整手段４は、受光部７と被写体との間の距離が大きくなるにつれて、前記逆方向Ｄ２に発光部２１を角変位させ、これによって照射光の照射方向を、前記逆方向Ｄ２に変化させる。【選択図】      図１
2005292501.tif 000002
【特許請求の範囲】
【請求項１】
被写体の光学像を受光する受光部を有する撮影手段と、
受光部と略同一側に臨んで照射光を発生する発光部を有する発光手段と、
受光部と被写体との間の距離が小さくなるにつれて、照射光の照射方向を、受光部の光軸に近づく方向に変化させる照射方向調整手段とを含むことを特徴とする撮影装置。
【請求項２】
発光手段の発光部は、前記受光部の光軸に近づく方向およびこの方向とは逆方向に角変位可能に設けられ、
照射方向調整手段は、受光部と被写体との間の距離が小さくなるにつれて、前記受光部の光軸に近づく方向に発光部を角変位させ、受光部と被写体との間の距離が大きくなるにつれて、前記逆方向に発光部を角変位させることを特徴とする請求項１記載の撮影装置。
【請求項３】
発光手段は、照射光の照射方向を、前記受光部の光軸に近づく方向またはこの方向とは逆方向に変化させる偏向手段を有し、
照射方向調整手段は、受光部と被写体との間の距離が小さくなるにつれて、照射光の照射方向が、前記受光部の光軸に近づく方向に変化するように、偏向手段を動作させ、受光部と被写体との間の距離が大きくなるにつれて、照射光の照射方向が、前記逆方向に変化するように、偏向手段を動作させることを特徴とする請求項１記載の撮影装置。
【請求項４】
請求項１〜３のいずれか１つに記載の撮影装置を備える携帯電話装置。
【発明の詳細な説明】
【技術分野】
【０００１】
本発明は、照射光を被写体に照射するとともにその被写体を撮影する撮影装置およびその撮影装置を備える携帯電話装置に関する。
【背景技術】
【０００２】
従来の技術は、特許文献１に記載されている。特許文献１の携帯電話機では、撮影手段であるカメラと発光手段であるストロボ装置とが隣接して設けられる。この携帯電話機では、暗い場所で被写体を撮影するとき、ストロボ装置を発光させて被写体に十分な照度を与えたうえで、カメラによってその被写体を撮影することができる。
【０００３】
前記特許文献１の携帯電話機は、集光レンズをさらに有する。この携帯電話機では、被写体までの距離が大きい場合、ストロボ装置からの光を集光レンズで集光することによって、光の分散による照度の低下を防ぎ、被写体に十分な照度を与える。また、この携帯電話機では、被写体までの距離が小さい場合、集光レンズを用いないで、ストロボ装置からの光を直接、被写体に照射する。
【０００４】
【特許文献１】特開２００３−８７３７６号公報
【発明の開示】
【発明が解決しようとする課題】
【０００５】
前記従来の技術では、ストロボ装置は、カメラの光軸方向と同方向に光を出射するように設けられる。それ故、被写体までの距離が小さくなるにつれて、ストロボ装置からの光が被写体に照射されにくくなるという問題がある。
【０００６】
また、前記従来の技術では、カメラおよびストロボ装置が固定される。このような従来の技術では、被写体までの距離が大きい場合および小さい場合の両者において、ストロボ装置の照射範囲とカメラの撮影範囲とを合わせるために、カメラおよびストロボ装置を隣接して配置しなければならない。それ故、カメラおよびストロボ装置の配置の自由度が低く、設計およびデザイン上の制約があるという問題がある。
【０００７】
本発明の目的は、照射光を、より近くの被写体にも照射することができる撮影装置および携帯電話装置を提供することである。
【０００８】
また本発明の他の目的は、撮影手段の受光部および発光手段の発光部についての配置の自由度が向上された撮影装置および携帯電話装置を提供することである。
【課題を解決するための手段】
【０００９】
本発明は、被写体の光学像を受光する受光部を有する撮影手段と、
受光部と略同一側に臨んで照射光を発生する発光部を有する発光手段と、
受光部と被写体との間の距離が小さくなるにつれて、照射光の照射方向を、受光部の光軸に近づく方向に変化させる照射方向調整手段とを含むことを特徴とする撮影装置である。
【００１０】
また本発明は、発光手段の発光部は、前記受光部の光軸に近づく方向およびこの方向とは逆方向に角変位可能に設けられ、
照射方向調整手段は、受光部と被写体との間の距離が小さくなるにつれて、前記受光部の光軸に近づく方向に発光部を角変位させ、受光部と被写体との間の距離が大きくなるにつれて、前記逆方向に発光部を角変位させることを特徴とする。
【００１１】
また本発明は、発光手段は、照射光の照射方向を、前記受光部の光軸に近づく方向またはこの方向とは逆方向に変化させる偏向手段を有し、
照射方向調整手段は、受光部と被写体との間の距離が小さくなるにつれて、照射光の照射方向が、前記受光部の光軸に近づく方向に変化するように、偏向手段を動作させ、受光部と被写体との間の距離が大きくなるにつれて、照射光の照射方向が、前記逆方向に変化するように、偏向手段を動作させることを特徴とする。
また本発明は、前述の撮影装置を備える携帯電話装置である。
【発明の効果】
【００１２】
本発明によれば、撮影手段の受光部および発光手段の発光部は、略同一側に臨むように設けられる。照射方向調整手段は、受光部と被写体との間の距離が小さくなるにつれて、照射光の照射方向を、受光部の光軸に近づく方向に変化させる。このように照射光の照射方向を変化させることができるので、発光部からの照射光を、より近くの被写体にも照射することができる。したがって暗い場所で、より近くの被写体を確実に撮影することができる。
【００１３】
また、前述のように照射光の照射方向を変化させることができるので、発光部からの照射光を、より近くの被写体にも照射するために、撮影手段の受光部および発光手段の発光部を隣接して配置する必要がない。したがって、撮影手段の受光部および発光手段の発光部についての配置の自由度を向上することができる。
【００１４】
また本発明によれば、発光手段の発光部は、受光部の光軸に近づく方向およびこの方向とは逆方向に角変位可能に設けられる。照射方向調整手段は、受光部と被写体との間の距離が小さくなるにつれて、前記受光部の光軸に近づく方向に発光部を角変位させ、これによって照射光の照射方向を、前記受光部の光軸に近づく方向に変化させる。また照射方向調整手段は、受光部と被写体との間の距離が大きくなるにつれて、前記逆方向に発光部を角変位させ、これによって照射光の照射方向を、前記逆方向に変化させる。このように発光部を角変位させることによって、照射光の照射方向を変化させることができるので、照射光の照射方向を容易に変化させることができる。
【００１５】
また本発明によれば、発光手段は偏向手段を有し、この偏向手段によって、照射光の照射方向を、受光部の光軸に近づく方向またはこの方向とは逆方向に変化させる。照射方向調整手段は、受光部と被写体との間の距離が小さくなるにつれて、照射光の照射方向が、前記受光部の光軸に近づく方向に変化するように、偏向手段を動作させ、受光部と被写体との間の距離が大きくなるにつれて、照射光の照射方向が、前記逆方向に変化するように、偏向手段を動作させる。
【００１６】
このように偏向手段を動作させることによって、照射光の照射方向を変化させることができるので、照射光の照射方向を変化させるにあたって、発光部を動作させる必要がない。したがって発光部が固定された簡単な構造でも、照射光の照射方向を変化させることができる。
【００１７】
また本発明によれば、前述の撮影装置が搭載された携帯電話装置を実現することができる。前述の撮影装置は、撮影手段の受光部および発光手段の発光部についての配置の自由度が高い。したがって受光部および発光部の配置を工夫して、携帯電話装置の小形化を達成することができる。
【発明を実施するための最良の形態】
【００１８】
図１は、本発明の実施の第１形態の撮影装置１を示す斜視図である。本実施の形態の撮影装置１は、携帯電話機または簡易型携帯電話機（Personal Handyphone System、略称ＰＨＳ）として実現される携帯電話装置に搭載される。この撮影装置１は、撮影手段であるカメラモジュール２と、発光手段である発光装置３と、照射方向調整手段４とを含む。
【００１９】
カメラモジュール２は、撮影モードとして、受光部７から離れた遠方の被写体に対してピントが合う通常モードと、受光部７に近接した被写体に対してピントが合う接写モードとを有し、各モードで、被写体を撮影することができる。被写体には、発光装置３によって照射光を照射することができる。照射方向調整手段４は、カメラモジュール２の撮影モードの切り替えに連動して、照射光の照射方向を変化させることができる。このような撮像装置１では、発光装置３によって照射光を被写体に照射しながら、カメラモジュールによってその被写体を撮影することができる。したがって暗い場所でも、被写体を撮影することができる。
【００２０】
図２は、カメラモジュール２の正面図である。図３は、図２の切断面線Ｓ３−Ｓ３から見たカメラモジュール２の断面図である。カメラモジュール２は、被写体の光学像を集光するレンズ６と、被写体の光学像を受光する受光部７と、基板８と、ベース部９と、レンズ６を保持するレンズ保持部１０とを含んで構成される。
【００２１】
レンズ６は、受光部７の光軸Ｌ１に一致する予め定める光軸Ｌ１を有する。レンズ６は、凸レンズによって実現される。受光部７は、レンズ６によって集光された光学像を受光する。受光部７は、撮像素子であり、具体的にはＣＣＤ（Charge Coupled Device）イメージセンサによって実現される。受光部７は、基板８に設けられる。基板８は、携帯電話装置の筐体に、直接または間接的に固定される。ベース部９には、貫通孔１１が形成される。ベース部９は、基板８に固定される。ベース部９が基板８に固定された状態では、受光部７はベース部９の貫通孔１１に臨む。
【００２２】
レンズ保持部１０は、円筒状の円筒状部分１３と、環状の環状部分１４と、突出部分１５とを有する。円筒状部分１３は、レンズ６と同軸である。レンズ６は、円筒状部分１３の貫通孔１６に嵌まり込んで、円筒状部分１３に固定される。レンズ６は、円筒状部分１３の軸線方向両端部間の中間位置に、配置される。環状部分１４は、レンズ６と同軸である。環状部分１４は、円筒状部分１３の外周部１７に連なる。環状部分１４は、円筒状部分１３の前記中間位置に配置される。突出部分１５は、環状部分１４の周縁部１８に連なり、環状部分１４の軸線に直交する方向に延びる。
【００２３】
ベース部９は、その内周部１９に内ねじが形成される。レンズ保持部１０の円筒状部分１３は、その軸線方向一端部の外周部１７に外ねじが形成される。ベース部９と、レンズ保持部１０の円筒状部分１３とは、相互に螺着されている。レンズ保持部１０の円筒状部分１３がベース部９に対してその軸線Ｌ１まわりに相対的に角変位すると、レンズ保持部１０の円筒状部分１３がベース部９に対してその軸線Ｌ１に沿って相対的に変位し、これによってレンズ６が受光部７に対して前記軸線Ｌ１に沿って相対的に変位する。以下、レンズ保持部１０の円筒状部分１３の軸線Ｌ１を、第１角変位軸線Ｌ１と記載することがある。
【００２４】
本実施の形態では、レンズ６から受光部７に向かう方向（以下、この方向を後退方向といい、反対方向を前進方向ということがある）Ａ１に見て、レンズ保持部１０を時計回りに角変位させると、レンズ保持部１０が後退方向Ａ１に変位する。また、後退方向Ａ１に見て、レンズ保持部１０を反時計回りに角変位させると、レンズ保持部１０が前進方向Ａ２に変位する。以下、前記時計回りの方向Ｂ１を、第１角変位方向Ｂ１と記載し、前記反時計回りの方向Ｂ２を、第２角変位方向Ｂ２と記載することがある。
【００２５】
前述のようにカメラモジュール２が構成されるので、レンズ保持部１０を第１角変位軸線Ｌ１まわりに角変位させることによって、レンズ６を前進方向Ａ２および後退方向Ａ１に変位させることができる。これによってレンズ６と受光部７との間の距離を変化させて、被写体に対してピントを合わせることができる。
【００２６】
本実施の形態では、カメラモジュール２は、撮影モードとして、前述のように通常モードと接写モードとを有する。通常モードは、受光部７と被写体との間の距離が約４０ｃｍ以上であるときに適した撮影モードである。接写モードは、受光部７と被写体との間の距離が約１０〜４０ｃｍであるときに適した撮影モードである。
【００２７】
図１を再び参照して、発光装置３は、照射光を発生する発光部２１と、軸部２２と、軸受部とを有する。発光部２１は、発光ダイオード（Light Emitting Diode、略称ＬＥＤ）によって実現される。発光部２１は、カメラモジュール２の受光部７と略同一側に臨む。
【００２８】
本発明においては、発光部２１が受光部７と略同一側に臨むとは、発光部２１の光出射面が、被写体から受光部７までの間の光学系のうち、最も被写体に近い光学素子の光入射面と略同一側に臨むことを意味する。
【００２９】
発光部２１は、予め定める第２角変位軸線Ｌ２まわりに角変位可能に設けられる。第２角変位軸線Ｌ２は、第１角変位軸線Ｌ１に垂直な仮想一平面内で、受光部７から発光部２１に向かう方向Ｃ１に垂直な方向に延びる。発光部２１には、第２角変位軸線Ｌ２に沿って延びる軸部２２が固定される。軸部２２は、軸受部によって第２角変位軸線Ｌ２まわりに角変位可能に支持される。軸受部は、携帯電話装置の筐体に固定される。
【００３０】
このような構成によって、発光部２１は、受光部７の光軸Ｌ１に近づく方向Ｄ１およびこの方向Ｄ１とは逆方向Ｄ２に角変位可能となる。これによって、発光部２１が発生した照射光の照射方向が、前記受光部７の光軸Ｌ１に近づく方向Ｄ１および前記逆方向Ｄ２に変化可能となる。以下、前記受光部７の光軸Ｌ１に近づく方向Ｄ１を第３角変位方向Ｄ１と記載し、前記逆方向Ｄ２を第４角変位方向Ｄ２と記載することがある。
【００３１】
照射方向調整手段４は、第３角変位方向Ｄ１および第４角変位方向Ｄ２に、発光部２１を角変位させる。照射方向調整手段４は、スライド部２５と、ツマミ部２６と、第１伝達手段２７とを有する。
【００３２】
スライド部２５は、所定の可動範囲内で、受光部７から発光部２１に向かう方向Ｃ１および発光部２１から受光部７に向かう方向Ｃ２に変位可能に設けられる。以下、受光部７から発光部２１に向かう方向Ｃ１および発光部２１から受光部７に向かう方向Ｃ２を併せて、スライド方向Ｃと記載し、受光部７から発光部２１に向かう方向Ｃ１を第１スライド方向Ｃ１と記載し、発光部２１から受光部７に向かう方向Ｃ２を第２スライド方向Ｃ２と記載することがある。ツマミ部２６は、スライド部２５と一体に形成される。ツマミ部２６は、操作者によってスライド方向Ｃに変位され、これによってスライド部２５がスライド方向Ｃに変位される。
【００３３】
第１伝達手段２７は、スライド部２５からのスライド方向Ｃの力を、発光部２１の第２角変位軸線Ｌ２まわりの力として、発光装置３の軸部２２に伝達する。第１伝達手段２７は、ラック２９およびピニオン３０を含んで構成される。ラック２９は、スライド部２５と一体に形成される。ピニオン３０は、発光装置３の軸部２２に固定される。これらのラック２９とピニオン３０とは噛合している。
【００３４】
スライド部２５が第１スライド方向Ｃ１に変位すると、ラック２９が、スライド部２５とともに第１スライド方向Ｃ１に変位し、ピニオン３０が第３角変位方向Ｄ１に角変位する。これによって発光部２１が、第３角変位方向Ｄ１に角変位し、照射光の照射方向が、第３角変位方向Ｄ１に変化する。またスライド部２５が第２スライド方向Ｃ２に変位すると、ラック２９が、スライド部２５とともに第２スライド方向Ｃ２に変位し、ピニオン３０が第４角変位方向Ｄ２に角変位する。これによって発光部２１が、第４角変位方向Ｄ２に角変位し、照射光の照射方向が、第４角変位方向Ｄ２に変化する。
【００３５】
スライド部２５には、第２伝達手段３２が設けられる。第２伝達手段３２は、スライド部２５からのスライド方向Ｃの力を、第１角変位軸線Ｌ１まわりの力として、レンズ保持部１０に伝達する。第２伝達手段３２は、第１係止片３３と、第２係止片３４とを含む。第１および第２係止片３３，３４は、スライド部２５と一体に形成される。第１および第２係止片３３，３４は、スライド方向Ｃに間隔をあけて設けられ、これらの第１および第２係止片３３，３４の間には、カメラモジュール２のレンズ保持部１０の突出部分１５が介在される。
【００３６】
スライド部２５が第１スライド方向Ｃ１に変位すると、第１係止片３３が、前記突出部分１５に当接して、前記突出部分１５を係止するので、レンズ保持部１０が第１角変位方向Ｂ１に角変位し、レンズ６が後退方向Ａ１に変位する。また、スライド部２５が第２スライド方向Ｃ２に変位すると、第２係止片３４が、前記突出部分１５に当接して、前記突出部分１５を係止するので、レンズ保持部１０が第２角変位方向Ｂ２に角変位し、レンズ６が前進方向Ａ２に変位する。
【００３７】
スライド部２５は、携帯電話装置の筐体の内方に配置される。携帯電話装置の筐体には、開口が形成され、この開口を介して、ツマミ部の一部が携帯電話装置の筐体の外方に露出する。スライド部２５は、スライド方向Ｃに変位しても、前記開口を塞ぐことができるように形成される。したがって携帯電話装置の筐体の内方に、前記開口から水滴および塵埃などが入り込むことを防ぐことができ、カメラモジュール２および発光装置３を保護することができる。
【００３８】
図４は、撮影装置１の動きを説明するための正面図であり、図４（１）は通常モードの撮影装置１を示し、図４（２）は撮影モードが通常モードから接写モードに切り替わる過程の撮影装置１を示し、図４（３）は接写モードの撮影装置１を示す。図５は、撮影装置１の動きを説明するための側面図であり、図５（１）は通常モードの撮影装置１を示し、図５（２）は撮影モードが通常モードから接写モードに切り替わる過程の撮影装置１を示し、図５（３）は接写モードの撮影装置１を示す。
【００３９】
通常モードでは、図４（１）および図５（１）に示すように、スライド部２５は、前記所定の可動範囲内で、最も第２スライド方向Ｃ２寄りに位置する。この通常モードでは、受光部７の光軸Ｌ１および発光部２１の光軸Ｌ３は、平行である。
【００４０】
撮影装置１の撮影モードを、通常モードから接写モードに切り替えるにあたって、操作者は、ツマミ部２６を第１スライド方向Ｃ１に変位させる。撮影装置１の撮影モードが通常モードから接写モードに切り替わる過程では、図４（２）および図５（２）に示すように、発光部２１が第３角変位方向Ｄ１に角変位し、照射光の照射方向が第３角変位方向Ｄ１に変化する。
【００４１】
接写モードでは、図４（３）および図５（３）に示すように、スライド部２５は、前記所定の可動範囲内で、最も第１スライド方向Ｃ１寄りに位置する。この接写モードでは、発光部２１の光軸Ｌ３は、受光部７の光軸Ｌ１に対して傾斜する。接写モードにおける発光部２１の光軸Ｌ３と、前記通常モードにおける発光部２１の光軸Ｌ３とが成す角度は、０度を超え、４５度以下に選ばれる。
【００４２】
一例として述べると、携帯電話装置において、受光部７および発光部２１を可及的に離して配置すると、受光部７と発光部２１との距離は、約１０ｃｍとなる。受光部７と被写体との距離が約１０ｃｍであるとき、接写モードにおける発光部２１の光軸Ｌ３と、通常モードにおける発光部２１の光軸Ｌ３とが成す角度が約４５度であれば、発光部２１からの照射光を、被写体に確実に照射することができる。
【００４３】
撮影装置１の撮影モードを、接写モードから通常モードに切り替えるにあたって、操作者は、ツマミ部２６を第２スライド方向Ｃ２に変位させる。撮影装置１の撮影モードが接写モードから通常モードに切り替わる過程では、図４（２）および図５（２）に示すように、発光部２１が第４角変位方向Ｄ２に角変位し、照射光の照射方向が第４角変位方向Ｄ２に変化する。
【００４４】
図６は、撮影装置１を備える携帯電話装置４０の一例を示す斜視図である。携帯電話装置４０は、折り畳み型の携帯電話装置である。携帯電話装置４０は、第１筐体４１と、第２筐体４２と、ヒンジ部４３とを含む。第１および第２筐体４１，４２は、ヒンジ部３によって角変位可能に連結される。携帯電話装置４０は、第１および第２筐体４１，４２が相互に対向する折り畳み状態と、図６に示す展開状態とにわたって変化する。
【００４５】
第１筐体４１には、正面側表示部および背面側表示部４４が設けられている。正面側表示部は、折り畳み状態において、第２筐体４２に臨む。背面側表示部４４は、折り畳み状態において、外方に臨む。正面側表示部および背面側表示部４４には、数字、文字および画像などの情報が表示される。第２筐体４２には、操作部が設けられている。操作部は、折り畳み状態において、第１筐体４１に臨む。操作部は、数字、文字、指令などの情報を入力するための複数の操作キーを有する。
【００４６】
撮影装置１は、前述のような携帯電話装置４０の第１筐体４１に設けられている。撮影装置１の受光部７および発光部２１は、前記背面側表示部４４と略同一側に臨む。撮影装置１の照射方向調整手段４のツマミ部２６は、外方に露出している。操作者は、このツマミ部２６をスライド方向Ｃに変位させることによって、撮影装置１の撮影モードを、通常モードから接写モードに切り替えることができ、また接写モードから通常モードに切り替えることができる。
【００４７】
以上のような本実施の形態によれば、カメラモジュール２の受光部７および発光装置３の発光部２１は、略同一側に臨むように設けられる。照射方向調整手段４は、受光部７と被写体との間の距離が小さくなるにつれて、照射光の照射方向を、受光部７の光軸Ｌ１に近づく方向Ｄ１に変化させる。このように照射光の照射方向を変化させることができるので、発光部２１からの照射光を、より近くの被写体にも照射することができる。したがって暗い場所で、より近くの被写体を確実に撮影することができる。
【００４８】
また、前述のように照射光の照射方向を変化させることができるので、発光部２１からの照射光を、より近くの被写体にも照射するために、カメラモジュール２の受光部７および発光装置３の発光部２１を隣接して配置する必要がない。したがって、カメラモジュール２の受光部７および発光装置３の発光部２１についての配置の自由度を向上することができる。
【００４９】
また本実施の形態によれば、発光装置３の発光部２１は、受光部７の光軸Ｌ１に近づく方向Ｄ１およびこの方向Ｄ１とは逆方向Ｄ２に角変位可能に設けられる。照射方向調整手段４は、受光部７と被写体との間の距離が小さくなるにつれて、前記受光部７の光軸Ｌ１に近づく方向Ｄ１に発光部２１を角変位させ、これによって照射光の照射方向を、前記受光部７の光軸Ｌ１に近づく方向Ｄ１に変化させる。また照射方向調整手段４は、受光部７と被写体との間の距離が大きくなるにつれて、前記逆方向Ｄ２に発光部２１を角変位させ、これによって照射光の照射方向を、前記逆方向Ｄ２に変化させる。このように発光部２１を角変位させることによって、照射光の照射方向を変化させることができるので、照射光の照射方向を容易に変化させることができる。
【００５０】
また本実施の形態によれば、前述の撮影装置１が搭載された携帯電話装置４０を実現することができる。前述の撮影装置１は、カメラモジュール２の受光部７および発光装置３の発光部２１についての配置の自由度が高い。したがって受光部７および発光部２１の配置を工夫して、携帯電話装置４０の小形化を達成することができる。
【００５１】
図７は、本発明の実施の第２形態の撮影装置４９を示す斜視図である。本実施の形態の撮影装置４９は、前述の第１形態の撮影装置１に類似するので、同様の部分には同一の符号を付して説明を省略し、異なる部分についてだけ説明する。本実施の形態では、照射方向調整手段５０は、リング部５１と、伝達手段５２とを有する。
【００５２】
リング部５１は、環状の部材であり、レンズ６と同軸に設けられる。リング部５１は、レンズ保持部１０に固定される。リング部５１は、所定の可動範囲内で、カメラモジュール２のベース部９に対して相対的に、第１角変位軸線Ｌ１まわりに角変位可能である。リング部５１は、操作者によって第１角変位軸線Ｌ１まわりに角変位される。
【００５３】
リング部５１が第１角変位方向Ｂ１に角変位すると、レンズ保持部１０が第１角変位方向Ｂ１に角変位し、レンズ６が後退方向Ａ１に変位する。また、リング部５１が第２角変位方向Ｂ２に角変位すると、レンズ保持部１０が第２角変位方向Ｂ２に角変位し、レンズ６が前進方向Ａ２に変位する。
【００５４】
伝達手段５２は、リング部５１からの第１角変位軸線Ｌ１まわりの力を、第１角変位軸線Ｌ１に沿う方向の力として、発光部２１に伝達する。発光部２１は、第２角変位軸線Ｌ２まわりに角変位可能に設けられている。前記第１角変位軸線Ｌ１に沿う方向の力は、第２角変位軸線Ｌ２から離れた位置で、発光部２１に与えられる。このような構成では、発光部２１は、第１角変位軸線Ｌ１に沿う方向の力を受けると、第２角変位軸線Ｌ２まわりに角変位する。
【００５５】
伝達手段５２は、第１伝達部５３と、第２伝達部５４とを含んで構成される。第１伝達部５３は、リング部５１と一体に形成される。第２伝達部５４は、発光部２１と一体に形成される。第２伝達部５４は、発光部２１の第２角変位軸線Ｌ２から最も離れた部分に連なる。第２伝達部５４は、第２角変位軸線Ｌ２に沿って図７の矢符５６の方向に進むにつれて、第４角変位方向Ｄ２に傾斜する傾斜面５７を有する。第１伝達部５３と第２伝達部５４とは当接している。本実施の形態では、発光部２１には、第４角変位方向Ｄ２の力が常に付勢されており、第１伝達部５３は、第２伝達部５４に対して第３角変位方向Ｄ１の力を与える。
【００５６】
第２伝達部５４の傾斜面５７は、第２角変位軸線Ｌ２に沿って図７の矢符５６の方向に進むにつれて、第４角変位方向Ｄ２に一定に傾斜する。第２伝達部５４の傾斜面５７は、第２角変位軸線Ｌ２に沿って図７の矢符５６の方向に進むにつれて、傾斜が徐々に大きくなってもよく、また傾斜が徐々に小さくなってもよい。
【００５７】
リング部５１が第１角変位方向Ｂ１に角変位すると、第１伝達部５３が第１角変位方向Ｂ１に角変位し、第２伝達部５４が第３角変位方向Ｄ１に角変位する。これによって発光部２１が、第３角変位方向Ｄ１に角変位し、照射光の照射方向が、第３角変位方向Ｄ１に変化する。また、リング部５１が第２角変位方向Ｂ２に角変位すると、第１伝達部５３が、リング部５１とともに第２角変位方向Ｂ２に角変位し、第２伝達部５４が第４角変位方向Ｄ２に角変位する。これによって発光部２１が、第４角変位方向Ｄ２に角変位し、照射光の照射方向が、第４角変位方向Ｄ２に変化する。
【００５８】
図８は、撮影装置４９の動きを説明するための正面図であり、図８（１）は通常モードの撮影装置４９を示し、図８（２）は撮影モードが通常モードから接写モードに切り替わる過程の撮影装置４９を示し、図８（３）は接写モードの撮影装置４９を示す。図９は、撮影装置４９の動きを説明するための側面図であり、図９（１）は通常モードの撮影装置４９を示し、図９（２）は撮影モードが通常モードから接写モードに切り替わる過程の撮影装置４９を示し、図９（３）は接写モードの撮影装置４９を示す。
【００５９】
通常モードでは、図８（１）および図９（１）に示すように、リング部５１は、前記所定の可動範囲内で、最も第２角変位方向Ｂ２寄りに位置する。この通常モードでは、受光部７の光軸Ｌ１および発光部２１の光軸Ｌ３は、平行である。
【００６０】
撮影装置４９の撮影モードを、通常モードから接写モードに切り替えるにあたって、操作者は、リング部５１を第１角変位方向Ｂ１に変位させる。撮影装置４９の撮影モードが通常モードから接写モードに切り替わる過程では、図８（２）および図９（２）に示すように、発光部２１が第３角変位方向Ｄ１に角変位し、照射光の照射方向が第３角変位方向Ｄ１に変化する。
【００６１】
接写モードでは、図８（３）および図９（３）に示すように、リング部５１は、前記所定の可動範囲内で、最も第１角変位方向Ｂ１寄りに位置する。この接写モードでは、発光部２１の光軸Ｌ３は、受光部７の光軸Ｌ１に対して傾斜する。
【００６２】
撮影装置４９の撮影モードを、接写モードから通常モードに切り替えるにあたって、操作者は、ツマミ部２６を第２角変位方向Ｂ２に角変位させる。撮影装置４９の撮影モードが接写モードから通常モードに切り替わる過程では、図８（２）および図９（２）に示すように、発光部２１が第４角変位方向Ｄ２に角変位し、照射光の照射方向が第４角変位方向Ｄ２に変化する。
【００６３】
以上のような本実施の形態によれば、発光部２１からの照射光を、より近くの被写体にも照射することができるという効果を、前述の第１形態と同様に達成することができる。また本実施の形態によれば、照射光の照射方向を容易に変化させることができるという効果も、前述の第１形態と同様に達成することができる。また本実施の形態によれば、携帯電話装置４０の小形化することができるという効果を、前述の第１形態と同様に達成することができる。
【００６４】
図１０は、本発明の実施の第３形態の撮影装置６０を示す斜視図である。本実施の形態の撮影装置６０は、前述の第１形態の撮影装置１に類似するので、同様の部分には同一の符号を付して説明を省略し、異なる部分についてだけ説明する。本実施の形態では、発光装置は、照射光を発生する発光部２１と、偏向手段である偏向レンズ６１と、偏向レンズ６１を保持する偏向レンズ保持部６２とを含んで構成される。
【００６５】
発光部２１は、発光ダイオードによって実現される。発光部２１は、カメラモジュール２の受光部７と略同一側に臨む。発光部２１の光軸Ｌ３は、受光部７の光軸Ｌ１に平行である。発光部２１は、携帯電話装置の筐体に、直接または間接的に固定される。
【００６６】
図１１は、偏向レンズ６１および偏向レンズ保持部６２の正面図である。図１２は、図１１の切断面線Ｓ１２−Ｓ１２から見た偏向レンズ６１および偏向レンズ保持部６２の断面図である。偏向レンズ６１は、照射光の照射方向を、第３角変位方向Ｄ１に変化させる。偏向レンズ６１は、凸レンズによって実現される。
【００６７】
偏向レンズ６１は、照射光が通過する領域から退避した退避位置と、照射光が通過する領域で発光部２１に対向する対向位置とにわたって、変位可能に設けられる。偏向レンズ保持部６２は、環状の部材である。偏向レンズ６１は、偏向レンズ保持部６２の貫通孔６３に嵌まり込んで、偏向レンズ保持部６２に固定される。
【００６８】
偏向レンズ６１の光軸Ｌ４は、前進方向Ａ２に進むにつれて、第１角変位軸線Ｌ１から離反するように、第１角変位軸線Ｌ１に対して傾斜する。偏向レンズ６１の光軸Ｌ４と第１角変位軸線Ｌ１とが成す角度θは、偏向レンズ６１の厚さおよび形状に応じて選ばれ、さらに携帯電話装置の小形化を阻害しないように選ばれる。偏向レンズ６１の光軸Ｌ４と第１角変位軸線Ｌ１とが成す角度θは、たとえば１０度以上２０度以下に選ばれる。
【００６９】
また本実施の形態では、照射方向調整手段６５は、照射光の照射方向が、第３角変位方向Ｄ１および第４角変位方向Ｄ２に変化するように、偏向レンズ６１を動作させる。照射方向調整手段６５は、スライド部２５と、ツマミ部２６と、第２伝達手段３２と、レンズ保持部１０と、連結部６６とを含んで構成される。
【００７０】
スライド部２５は、所定の可動範囲内で、スライド方向Ｃに変位可能に設けられる。ツマミ部２６は、スライド部２５と一体に形成される。このツマミ部２６は、操作者によってスライド方向Ｃに変位され、これによってスライド部２５がスライド方向Ｃに変位される。
【００７１】
第２伝達手段３２は、スライド部２５からのスライド方向Ｃの力を、第１角変位軸線Ｌ１まわりの力として、レンズ保持部１０に伝達する。第２伝達手段３２は、第１係止片３３と、第２係止片３４とを含む。第１および第２係止片３３，３４は、スライド部２５と一体に形成される。第１および第２係止片３３，３４は、スライド方向Ｃに間隔をあけて設けられ、これらの第１および第２係止片３３，３４の間には、カメラモジュール２のレンズ保持部１０の突出部分１５が介在される。
【００７２】
スライド部２５が第１スライド方向Ｃ１に変位すると、第１係止片３３が、前記突出部分１５に当接して、前記突出部分１５を係止するので、レンズ保持部１０が第１角変位方向Ｂ１に角変位し、レンズ６が後退方向Ａ１に変位する。また、スライド部２５が第２スライド方向Ｃ２に変位すると、第２係止片３４が、前記突出部分１５に当接して、前記突出部分１５を係止するので、レンズ保持部１０が第２角変位方向Ｂ２に角変位し、レンズ６が前進方向Ａ２に変位する。
【００７３】
連結部６６は、レンズ保持部１０と偏向レンズ保持部６２とを連結する。連結部６６は、レンズ保持部１０の環状部分１４の周縁部に連なり、第１角変位軸線Ｌ１に直交する方向に延びる。連結部６６の第１角変位軸線Ｌ１から最も離れた部分には、偏向レンズ保持部６２が連なる。
【００７４】
スライド部２５が第１スライド方向Ｃ１に変位すると、レンズ保持部１０が第１角変位方向Ｂ１に角変位し、偏向レンズ６１が第１角変位方向Ｂ１に角変位する。また、スライド部２５が第２スライド方向Ｃ２に変位すると、レンズ保持部１０が第２角変位方向Ｂ２に角変位し、偏向レンズ６１が第２角変位方向Ｂ２に角変位する。
【００７５】
図１３は、撮影装置６０の動きを説明するための正面図であり、図１３（１）は通常モードの撮影装置６０を示し、図１３（２）は撮影モードが通常モードから接写モードに切り替わる過程の撮影装置６０を示し、図１３（３）は接写モードの撮影装置６０を示す。図１４は、撮影装置６０の動きを説明するための側面図であり、図１４（１）は通常モードの撮影装置６０を示し、図１４（２）は撮影モードが通常モードから接写モードに切り替わる過程の撮影装置６０を示し、図１４（３）は接写モードの撮影装置６０を示す。
【００７６】
通常モードでは、図１３（１）および図１４（１）に示すように、スライド部２５は、前記所定の可動範囲内で、最も第２スライド方向Ｃ２寄りに位置する。この通常モードでは、偏向レンズ６１は、退避位置に配置される。
【００７７】
撮影装置６０の撮影モードを、通常モードから接写モードに切り替えるにあたって、操作者は、ツマミ部２６を第１スライド方向Ｃ１に変位させる。撮影装置６０の撮影モードが通常モードから接写モードに切り替わる過程では、図１３（２）および図１４（２）に示すように、偏向レンズ６１が第１角変位軸線Ｌ１まわりに第１角変位方向Ｂ１に角変位する。
【００７８】
接写モードでは、図１３（３）および図１４（３）に示すように、スライド部２５は、前記所定の可動範囲内で、最も第１スライド方向Ｃ１寄りに位置する。この接写モードでは、偏向レンズ６１は、対向位置に配置される。
【００７９】
撮影装置６０の撮影モードを、接写モードから通常モードに切り替えるにあたって、操作者は、ツマミ部２６を第２スライド方向Ｃ２に変位させる。撮影装置６０の撮影モードが接写モードから通常モードに切り替わる過程では、図１３（２）および図１４（２）に示すように、偏向レンズ６１が第１角変位軸線Ｌ１まわりに第２角変位方向Ｂ２に角変位する。
【００８０】
以上のような本実施の形態によれば、発光部２１からの照射光を、より近くの被写体にも照射することができるという効果を、前述の第１および第２形態と同様に達成することができる。また本実施の形態によれば、携帯電話装置４０の小形化することができるという効果を、前述の第１および第２形態と同様に達成することができる。
【００８１】
さらに本実施の形態によれば、発光装置３は偏向レンズ６１を有し、この偏向レンズ６１によって、照射光の照射方向を、受光部７の光軸Ｌ１に近づく方向Ｄ１またはこの方向Ｄ１とは逆方向Ｄ２に変化させる。照射方向調整手段６５は、受光部７と被写体との間の距離が小さくなるにつれて、照射光の照射方向が、前記受光部７の光軸Ｌ１に近づく方向Ｄ１に変化するように、偏向レンズ６１を動作させ、受光部７と被写体との間の距離が大きくなるにつれて、照射光の照射方向が、前記逆方向Ｄ２に変化するように、偏向レンズ６１を動作させる。
【００８２】
このように偏向レンズ６１を動作させることによって、照射光の照射方向を変化させることができるので、照射光の照射方向を変化させるにあたって、発光部２１を動作させる必要がない。したがって発光部２１が固定された簡単な構造でも、照射光の照射方向を変化させることができる。
【００８３】
図１５は、本発明の実施の第４形態の撮影装置７０を示す斜視図である。本実施の形態の撮影装置７０は、前述の第３形態の撮影装置６０に類似するので、同様の部分には同一の符号を付して説明を省略し、異なる部分についてだけ説明する。本実施の形態では、照射方向調整手段７１は、スライド部２５と、ツマミ部２６と、第２伝達手段３２と、延在部７２と、係止部７３と、支持部とを含んで構成される。
【００８４】
スライド部２５は、所定の可動範囲内で、スライド方向Ｃに変位可能に設けられる。ツマミ部２６は、スライド部２５と一体に形成される。このツマミ部２６は、操作者によってスライド方向Ｃに変位され、これによってスライド部２５がスライド方向Ｃに変位される。
【００８５】
第２伝達手段３２は、スライド部２５からのスライド方向Ｃの力を、第１角変位軸線Ｌ１まわりの力として、レンズ保持部１０に伝達する。第２伝達手段３２は、第１係止片３３と、第２係止片３４とを含む。第１および第２係止片３３，３４は、スライド部２５と一体に形成される。第１および第２係止片３３，３４は、スライド方向Ｃに間隔をあけて設けられ、これらの第１および第２係止片３３，３４の間には、カメラモジュール２のレンズ保持部１０の突出部分１５が介在される。
【００８６】
スライド部２５が第１スライド方向Ｃ１に変位すると、第１係止片３３が、前記突出部分１５に当接して、前記突出部分１５を係止するので、レンズ保持部１０が第１角変位方向Ｂ１に角変位し、レンズ６が後退方向Ａ１に変位する。また、スライド部２５が第２スライド方向Ｃ２に変位すると、第２係止片３４が、前記突出部分１５に当接して、前記突出部分１５を係止するので、レンズ保持部１０が第２角変位方向Ｂ２に角変位し、レンズ６が前進方向Ａ２に変位する。
【００８７】
延在部７２は、偏向レンズ保持部６２の周縁部に連なり、偏向レンズ保持部６２の軸線に直交する方向に延びる。延在部７２の前記偏向レンズ保持部６２から最も離れた部分は、支持部によって、第１角変位軸線Ｌ１に平行な第３角変位軸線Ｌ５まわりに角変位可能に支持される。支持部は、携帯電話装置の筐体に固定される。延在部７２の両端部間の中間位置には、挿通孔７５が形成される。挿通孔７５には、係止部７３が挿通される。係止部７３は、スライド部２５に一体に形成される。
【００８８】
スライド部２５が第１スライド方向Ｃ１に変位すると、偏向レンズ６１が、後退方向Ａ１に見て、第３角変位軸線Ｌ５まわりに反時計回りに角変位する。また、スライド部２５が第２スライド方向Ｃ２に変位すると、偏向レンズ６１が、後退方向Ａ１に見て、第３角変位軸線Ｌ５まわりに時計回りに角変位する。
【００８９】
図１６は、撮影装置７０の動きを説明するための正面図であり、図１６（１）は通常モードの撮影装置７０を示し、図１６（２）は撮影モードが通常モードから接写モードに切り替わる過程の撮影装置７０を示し、図１６（３）は接写モードの撮影装置７０を示す。図１７は、撮影装置７０の動きを説明するための側面図であり、図１７（１）は通常モードの撮影装置７０を示し、図１７（２）は撮影モードが通常モードから接写モードに切り替わる過程の撮影装置７０を示し、図１７（３）は接写モードの撮影装置７０を示す。
【００９０】
通常モードでは、図１６（１）および図１７（１）に示すように、スライド部２５は、前記所定の可動範囲内で、最も第２スライド方向Ｃ２寄りに位置する。この通常モードでは、偏向レンズ６１は、退避位置に配置される。
【００９１】
撮影装置７０の撮影モードを、通常モードから接写モードに切り替えるにあたって、操作者は、ツマミ部２６を第１スライド方向Ｃ１に変位させる。撮影装置７０の撮影モードが通常モードから接写モードに切り替わる過程では、図１６（２）および図１７（２）に示すように、偏向レンズ６１が、後退方向Ａ１に見て、第３角変位軸線Ｌ５まわりに反時計回りに角変位する。
【００９２】
接写モードでは、図１６（３）および図１７（３）に示すように、スライド部２５は、前記所定の可動範囲内で、最も第１スライド方向Ｃ１寄りに位置する。この接写モードでは、偏向レンズ６１は、対向位置に配置される。
【００９３】
撮影装置７０の撮影モードを、接写モードから通常モードに切り替えるにあたって、操作者は、ツマミ部２６を第２スライド方向Ｃ２に変位させる。撮影装置７０の撮影モードが接写モードから通常モードに切り替わる過程では、図１６（２）および図１７（２）に示すように、偏向レンズ６１が、後退方向Ａ１に見て、第３角変位軸線Ｌ５まわりに時計回りに角変位する。
【００９４】
以上のような本実施の形態によれば、発光部２１からの照射光を、より近くの被写体にも照射することができるという効果を、前述の第１〜第３形態と同様に達成することができる。また本実施の形態によれば、携帯電話装置４０の小形化することができるという効果を、前述の第１〜第３形態と同様に達成することができる。さらに本実施の形態によれば、発光部２１が固定された簡単な構造でも、照射光の照射方向を変化させることができるという効果を、前述の第３形態と同様に達成することができる。
【００９５】
前述の実施の各形態は、本発明の例示に過ぎず、本発明の範囲内で構成を変更することができる。前述の第１および第２形態では、アクチュエータによって、発光部２１が角変位されてもよい。また前述の第３および第４形態では、アクチュエータによって、偏向レンズ６１が動作されてもよい。
【００９６】
前述の第３および第４形態では、偏向レンズ６１は、照射光の照射方向を第３角変位方向Ｄ１に変化させるが、偏向レンズ６１は、照射光の照射方向を第４角変位方向Ｄ２に変化させてもよい。この場合、発光部２１は、その光軸Ｌ３が、受光部７の光軸Ｌ１に対して第３角変位方向Ｄ３に傾斜するように、設けられる。本発明の実施の他の形態では、照射光の照射方向を第３および第４角変位方向Ｄ１，Ｄ２に変化させるような偏向レンズを用いてもよい。
【００９７】
また前述の第３および第４形態では、偏向手段として偏向レンズ６１が用いられるが、偏向手段は、プリズムおよび回折格子などの光学素子によって実現されてもよい。また偏向手段は、複数の光学素子の組合せによって実現されてもよい。
【００９８】
また前述の第３および第４形態では、発光部２１が携帯電話装置の筐体に直接または間接的に固定され、偏向レンズ６１が発光部２１に対して動作されるが、本発明の実施の他の形態では、偏向レンズ６１が携帯電話装置の筐体に直接または間接的に固定され、発光部２１が偏向レンズ６１に対して動作されてもよい。
【００９９】
また撮影装置は、必ずしも、その受光部７および発光部２１が、折り畳み状態において外方に臨むようにして第１筐体４１に設けられる必要はない。たとえば撮影装置の受光部７および発光部２１は、折り畳み状態において、第２筐体４２に臨んでいてもよい。また撮影装置は、第２筐体４２に設けられてもよい。携帯電話装置は、折り畳み型に限定されるものではなく、表示部および操作部が同一の筐体に設けられるストレート型であってもよい。
【０１００】
また前述の実施の各形態では、カメラモジュール２は、１枚のレンズ６を用いて、このレンズ６と受光部７との距離を変化させて、被写体にピントを合わせるが、複数枚のレンズを用いて、これらのレンズのいずれかと受光部７との距離を変化させて、被写体にピントを合わせてもよい。
【０１０１】
カメラモジュール２は、ピントの調節が可能な構成でなくてもよい。撮影装置は、携帯電話装置以外の装置に搭載されてもよい。
【図面の簡単な説明】
【０１０２】
【図１】本発明の実施の第１形態の撮影装置１を示す斜視図である。
【図２】カメラモジュール２の正面図である。
【図３】図２の切断面線Ｓ３−Ｓ３から見たカメラモジュール２の断面図である。
【図４】撮影装置１の動きを説明するための正面図である。
【図５】撮影装置１の動きを説明するための側面図である。
【図６】撮影装置１を備える携帯電話装置４０の一例を示す斜視図である。
【図７】本発明の実施の第２形態の撮影装置４９を示す斜視図である。
【図８】撮影装置４９の動きを説明するための正面図である。
【図９】撮影装置４９の動きを説明するための側面図である。
【図１０】本発明の実施の第３形態の撮影装置６０を示す斜視図である。
【図１１】偏向レンズ６１および偏向レンズ保持部６２の正面図である。
【図１２】図１１の切断面線Ｓ１２−Ｓ１２から見た偏向レンズ６１および偏向レンズ保持部６２の断面図である。
【図１３】撮影装置６０の動きを説明するための正面図である。
【図１４】撮影装置６０の動きを説明するための側面図である。
【図１５】本発明の実施の第４形態の撮影装置７０を示す斜視図である。
【図１６】撮影装置７０の動きを説明するための正面図である。
【図１７】撮影装置７０の動きを説明するための側面図である。
【符号の説明】
【０１０３】
１，４９，６０，７０  撮影装置
２  カメラモジュール
３  発光装置
４，５０，６５，７１  照射方向調整手段
７  受光部
２１  発光部
４０  携帯電話装置
６１  偏向レンズ
【図１】
2005292501.tif 000003
【図２】
2005292501.tif 000004
【図３】
2005292501.tif 000005
【図４】
2005292501.tif 000006
【図５】
2005292501.tif 000007
【図６】
2005292501.tif 000008
【図７】
2005292501.tif 000009
【図８】
2005292501.tif 000010
【図９】
2005292501.tif 000011
【図１０】
2005292501.tif 000012
【図１１】
2005292501.tif 000013
【図１２】
2005292501.tif 000014
【図１３】
2005292501.tif 000015
【図１４】
2005292501.tif 000016
【図１５】
2005292501.tif 000017
【図１６】
2005292501.tif 000018
【図１７】
2005292501.tif 000019